(57)【要約】【課題】  従来の技術は、トラブルが発生した場合、修理する必要がある。その際、電磁ソレノイドに接続している配線が邪魔になる。また、絡まってしまう等の問題がしばしばあった。【解決手段】  発射槌により遊技球を印打発射する遊技機において、ヒンジ部９を介して固定側と開閉側に開閉分割でき、表裏開閉自在にしたセットケース５の一方である開閉側のケース蓋体４に電磁ソレノイド６、可動片等からなる打球操作に基づいて動作される電磁ソレノイド動作形態の球送り機構である遊技球補給装置１を設け、前記電磁ソレノイド６への通電は、配線回路のループ完成がなされるように、固定側ケース本体３、開閉側ケース蓋体４のヒンジ部９に接触部材を設けて、電磁ソレノイド６への回路が遮断・接続を可能にした遊技球補給装置を利用することで解決する。【選択図】図１
2007117445.tif 000002
【特許請求の範囲】
【請求項１】
発射槌により遊技球を印打発射する遊技機において、表裏分割自在にしたセットケースの一方であるケース蓋体に電磁ソレノイド、可動片等からなる打球操作に基づいて動作される電磁ソレノイド動作形態の球送り機構である遊技球補給装置を設け、前記電磁ソレノイドの通電は、配線回路のループ完成がなされるように、ケース本体、ケース蓋体の適宜部位に接触部材を設けて、電磁ソレノイドへの回路が遮断、接続を可能にしたことを特徴とする遊技球補給装置。
【請求項２】
発射槌により遊技球を印打発射する遊技機において、ヒンジ部を介して固定側と開閉側に開閉分割でき、表裏開閉自在にしたセットケースの一方である開閉側のケース蓋体に電磁ソレノイド、可動片等からなる打球操作に基づいて動作される電磁ソレノイド動作形態の球送り機構である遊技球補給装置を設け、前記電磁ソレノイドへの通電は、配線回路のループ完成がなされるように、固定側ケース本体、開閉側ケース蓋体のヒンジ部に接触部材を設けて、電磁ソレノイドへの回路が遮断・接続を可能にしたことを特徴とする遊技球補給装置。
【請求項３】
固定側ケース本体、開閉側ケース蓋体のヒンジ部に設けた接触部材に換えて、固定側ケース本体、開閉側ケース蓋体の位置合わせ部材に設け、固定側ケース本体、開閉側ケース蓋体の開閉により電磁ソレノイドへの回路が遮断・接続を可能としたことを特徴とする請求項２に記載の遊技球補給装置。
【請求項４】
固定側ケース本体と開閉側ケース蓋体に開閉または分離分割できる表裏分割自在にしたセットケースの固定側ケース本体に遊技球補給装置の電磁ソレノイドを設け、開閉側ケース蓋体にその他の可動片等を設け、打球操作に基づいて動作される電磁ソレノイド動作形態の球送り機構である遊技球補給装置の電磁ソレノイドへの通電は、配線回路ループが固定側ケース本体より発射制御部材の駆動部に接続され、開閉側ケース蓋体には配線回路ループが無く、開閉側蓋体ケースを閉じた時、電磁的回路結合により球送り動作が可能となるようにしたことを特徴とする遊技球補給装置。
【請求項５】
固定側ケース本体と開閉側ケース蓋体に開閉または分離分割できる表裏分割自在にしたセットケースの固定側ケース本体と開閉側ケース蓋体の開閉部、または分離部にセンサ部材を設け、開閉側ケース蓋体の開閉または分離状態を検知し、開いているときは電磁ソレノイドへの通電を遮断し遊技球の補給を停止させることを可能としたことを特徴とする請求項１〜請求項４のうち、いずれか１項に記載の遊技球補給装置。
【発明の詳細な説明】
【技術分野】
【０００１】
本発明は、球遊技機器の遊技球補給装置に関するものである。
【背景技術】
【０００２】
従来のパチンコ機等における弾球遊技機においては、打球発射装置のベース基板左側寄りには通孔が開設され、ベース基板の裏面に通孔に臨ませてハンドルベースが配設され、ベース基板の正面に通孔に臨ませてプーリユニットが配設されている。発射ハンドルはベース基板の裏面側に配置されている。発射ハンドルの操作軸がハンドルベースに挿通され、操作軸の先端がプーリユニットのプーリに固着されている。打球発射装置における発射レールへのパチンコ球の球送り機構は、球送出部材と球送り用の連動レバー及び打球槌の中間部に固着された球送りアームとにより構成される。さらに、上受皿に供給されたパチンコ球を発射レールの打球位置まで誘導するための球送りユニットが配設されている。
球送りユニットは、球送出部材と、球送出部材を揺動自在に軸支するための球送りケースとを備えている。
球送りケースには、下方の球送出口に向けて傾斜がかけられた球誘導樋と、球誘導樋の下端の側方に球送出部材を軸支する支軸部と、球送出部材の揺動姿勢を規制するためのストッパがそれぞれ突設されており、支軸部には球送出部材が揺動自在に軸支されている。
球送出部材は、中央後部が球送り用セットケースの支軸部に軸支され、球送出部材の中央下部には重錘部が設けられ、支軸部を中心として重錘部により常時時計回りに付勢がかけられている遊技球発射装置（例えば、特許文献１参照）が存在している。
【特許文献１】特開２００２−２１００９７号公報（特許請求の範囲、発明の詳細な説明の欄の｛発明の実施の形態｝の段落｛００３９｝〜｛００４２｝、及び図９〜図１１を参照）
【発明の開示】
【発明が解決しようとする課題】
【０００３】
本発明に係る遊技球補給装置は、発射槌により遊技球を印打発射する遊技機において、ヒンジ部を介して固定側と開閉側に開閉分割できる表裏開閉自在にしたセットケースの一方である開閉側のケース蓋体に電磁ソレノイド、可動片等からなる打球操作に基づいて作動される電磁ソレノイド作動形態の球送り機構である遊技球補給装置を設け、前記電磁ソレノイドへの通電は、配線回路のループ完成がなされるように、固定側のケース本体、開閉側のケース蓋体のヒンジ部に接触部材を設けて、電磁ソレノイドの回路が遮断・接続を可能にした遊技球補給装置で、次の課題を解決することが目的である。
従来の技術は、機械のメンテナンス時、例えば遊技球の通り道の掃除、球詰まり等のトラブル発生時等にケースを開いて行う必要がある。その際、電磁ソレノイドに接続している配線が邪魔になる。また、絡まってしまう、断線させてしまう等の問題がしばしばあった。
また、可動部は使用中に磨耗等により部品の交換の必要がある。その際、電磁ソレノイドに配線が接続されているため、固定部から取り外す必要があった。これらのことを解決することが目的である。
【課題を解決するための手段】
【０００４】
上記課題を解決するための本発明の第１発明は、請求項１に記載された通りの遊技球補給装置であり、次のようなものである。
発射槌により遊技球を印打発射する遊技機において、表裏分割自在にしたセットケースの一方であるケース蓋体に電磁ソレノイド、可動片等からなる打球操作に基づいて動作される電磁ソレノイド動作形態の球送り機構である遊技球補給装置を設け、前記電磁ソレノイドの通電は、配線回路のループ完成がなされるように、ケース本体、ケース蓋体の適宜部位に接触部材を設けて、電磁ソレノイドへの回路が遮断、接続を可能にする構成である。
【０００５】
上記課題を解決するための本発明の第２発明は、請求項２に記載された通りの遊技球補給装置であり、次のようなものである。
発射槌により遊技球を印打発射する遊技機において、ヒンジ部を介して固定側と開閉側に開閉分割でき、表裏開閉自在にしたセットケースの一方である開閉側のケース蓋体に電磁ソレノイド、可動片等からなる打球操作に基づいて動作される電磁ソレノイド動作形態の球送り機構である遊技球補給装置を設け、前記電磁ソレノイドへの通電は、配線回路のループ完成がなされるように、固定側ケース本体、開閉側ケース蓋体のヒンジ部に接触部材を設けて、電磁ソレノイドへの回路が遮断・接続を可能にする構成である。
【０００６】
上記課題を解決するための本発明の第３発明は、請求項３に記載された通りの遊技球補給装置であり、次のようなものである。
請求項２記載の発明に加えて、固定側ケース本体、開閉側ケース蓋体のヒンジ部に設けた接触部材に換えて、固定側ケース本体、開閉側ケース蓋体の位置合わせ部材に設け、固定側ケース本体、開閉側ケース蓋体の開閉により電磁ソレノイドへの回路が遮断・接続を可能とする構成である。
【０００７】
上記課題を解決するための本発明の第４発明は、請求項４に記載された通りの遊技球補給装置であり、次のようなものである。
固定側ケース本体と開閉側ケース蓋体に開閉または分離分割できる表裏分割自在にしたセットケースの固定側ケース本体に遊技球補給装置の電磁ソレノイドを設け、開閉側ケース蓋体にその他の可動片等を設け、打球操作に基づいて動作される電磁ソレノイド動作形態の球送り機構である遊技球補給装置の電磁ソレノイドへの通電は、配線回路ループが固定側ケース本体より発射制御部材の駆動部に接続され、開閉側ケース蓋体には配線回路ループが無く、開閉側蓋体ケースを閉じた時、電磁的回路結合により球送り動作が可能になる構成である。
【０００８】
上記課題を解決するための本発明の第５発明は、請求項５に記載された通りの遊技球補給装置であり、次のようなものである。
請求項１〜４のうち、いずれか１項に記載の発明に加えて、固定側ケース本体と開閉側ケース蓋体に開閉または分離分割できる表裏分割自在にしたセットケースの固定側ケース本体と開閉側ケース蓋体の開閉部または分離部にセンサ部材を設け、開閉側ケース蓋体の開閉または分離状態を検知し、開いているときは電磁ソレノイドへの通電を遮断し遊技球の補給を停止させる構成である。
【発明の効果】
【０００９】
本発明に係る遊技球補給装置は、上記説明のような構成であるので、以下に記載する効果を奏する。
（１）遊技球補給装置の掃除、遊技球の通り道は遊技球が運んでくる埃、塵や遊技球の汚れ等により、遊技球の通り道は汚れ遊技球の流れがスムーズでなくなり、遊技の進行を阻害する危険を持っている。そのために定期的、例えば毎日の可動終了後に遊技機を開け、遊技球の通り道を掃除する必要がある。従来の技術では、遊技球発射制御部材からの信号を受け、遊技球補給装置の電磁ソレノイドを動作させるようにリード線により接続され、配線回路が形成されるため、このリード線が邪魔になったり、ケースを取り外すことができなかったことを解決して、作業性を飛躍的に向上させたものである。
（２）球詰まり等遊技球の補給がスムーズにされない場合、遊技球補給装置の組み込まれた固定側ケース本体、開閉側ケース蓋体を開閉したり、ケース本体かケース蓋体のどちらか一方を取り外す必要が生じる。ところが、従来の技術では、遊技球発射制御部材の信号を受け、遊技球補給装置の電磁ソレノイドを動作させるようにリード線により接続され、配線回路が形成されるため、このリード線が邪魔になったり、ケースを取り外すことができなかったことを解決して、作業性を飛躍的に向上させたものである。
（３）遊技球補給装置において、補給動作を行う可動部があり、これらの可動部は、動くことにより磨耗が生じ、寿命が過ぎると交換の必要がある。従来の技術では、遊技球発射制御部材からの信号を受け、遊技球補給装置の電磁ソレノイドを動作させるようにリード線により接続され、配線回路が形成されるため、固定部から取り外す必要があった。しかし遊技球補給装置の可動部を開閉側に配置し、固定側と開閉側に容易に分割可能となったため、寿命等による交換作業の作業性を飛躍的に向上させたものである。
【発明を実施するための最良の形態】
【００１０】
発射槌により遊技球を印打発射する遊技機において、ヒンジ部を介して固定側と開閉側に開閉分割でき、表裏開閉自在にしたセットケースの一方である開閉側のケース蓋体に電磁ソレノイド、可動片等からなる打球操作に基づいて動作される電磁ソレノイド動作形態の球送り機構である遊技球補給装置を設け、前記電磁ソレノイドへの通電は、配線回路のループ完成がなされるように、固定側ケース本体、開閉側ケース蓋体のヒンジ部に接触部材を設けて、電磁ソレノイドへの回路が遮断・接続を可能にした遊技球補給装置である。
【実施例１】
【００１１】
図１は、本発明に係る第一実施例を示すもので、打球発射装置２と遊技球補給装置１の関連構成を説明するための正面図であって、遊技球補給装置１の着脱可能なセットケース５の一方のケース蓋体４を取り外した状態を示す正面図である。
本発明には、打球発射装置２の打球操作に基づいて作動されるソレノイド作動形態の遊技球補給装置１が設けられている。
遊技球補給装置１は、ケース本体３、ケース蓋体４に分割できるセットケース５内に設けられている。遊技球補給装置１は、球送り用の電磁ソレノイド６で作動される球送り体７が組み付けられており、遊技球を球送り体７の作動を介して球送り口から発射レール８へ送り込むようになっている。
打球発射装置２は、駆動源に電磁ソレノイド（発射ソレノイド）を有し、打球操作によって前記遊技球補給装置１を介して、発射レール８基端の発射位置に送り込まれた遊技球を１球ずつ打ち出すようになっている。
以上のような構成を有しているので、遊技球発射制御部材（図示せず）より発射ソレノイド、遊技球補給装置の電磁ソレノイドを動作させるようにそれぞれ配線され、遊技球補給装置の球送り電磁ソレノイド６、発射ソレノイド等は遊技球発射制御部材の信号により駆動励磁される。球詰まり等のトラブルが発生すると、セットケース５のケース本体３とケース蓋体４をヒンジ部９で開閉したり分割したりして作業を行い、トラブルを解消する。この時、接続配線がケース本体３とケース蓋体４に跨って配線されているので、開閉分割がしにくかった。本発明は、ケース本体３とケース蓋体４に配線が跨っていないためケースの開放、分割がスムーズに行え、トラブルが解消されればケース本体３とケース蓋体４を閉鎖、一体化すれば直ちに使用可能となるように工夫したものである。
電磁ソレノイド６からケース蓋体４のヒンジ部９の接触部材に配線し、固定側ケース本体３のヒンジ部９の接触部材から遊技球発射制御部材に配線される（ケース本体３からの配線部材は図示せず）。
【００１２】
その具体的な第一実施例が以下のようなものである。
発射槌により遊技球を印打発射する遊技機において、ヒンジ部９を介して固定側と開閉側に開閉分割できる表裏開閉自在にしたセットケース５の一方である開閉側のケース蓋体４に電磁ソレノイド６、可動片等からなる打球操作に基づいて作動される発射ソレノイド作動形態の球送り機構である遊技球補給装置１を設け、前記電磁ソレノイド６への通電は、配線回路のループ完成がなされるように、固定側のケース本体３、開閉側のケース蓋体４のヒンジ部９に接触部材を設けて、電磁ソレノイド６の回路が遮断、接続を可能にしたものである。
【００１３】
前記ヒンジ部９に設けた接触部材の具体的な実施例を図４、図５に基づいて詳細に説明する。
先ず、図４に示す実施例について説明すると、ケース開閉側蓋体４のヒンジ部９のボス部材１１の外周部に接触部材１２を巻き付け、あるいは貼り付けた状態で設けられ、これと対応するように、固定側ケース本体３のヒンジ部９であるリング部材１３のリング内径に接触部材１４を貼り付ける等して設けたものである。
【００１４】
また、図５で示す実施例について説明すると、この例では、ケース蓋体４のヒンジ部９のボス部材１５を導電部材で形成した接触部材１６としたもので、同様にこれに対応する固定側ケース本体３のヒンジ部９のリング部材１７を導電部材で形成した接触部材１８とした実施例である。
【００１５】
なお、ヒンジ部９の形状、及び接触部材１２の位置及び形状は種々設計変更することが可能である。
また、ヒンジ部９に換え固定側ケース本体３と、ケース蓋体４に接触部材を別に設けることも可能である。
【実施例２】
【００１６】
図２は、本発明に係る第二実施例を示すもので、前記第一実施例に加えて、本発明の遊技球補給装置１の固定側ケース本体３、開閉側ケース蓋体４のヒンジ部９に設けた接触部材に換えて、固定側ケース本体３、開閉側ケース蓋体４の位置合わせ部材１０に設けたものであり、固定側ケース本体３、開閉側ケース蓋体４の開閉により、電磁ソレノイド６の回路が遮断・接続を可能にしたものである（ケース本体３からの配線部材は図示せず）。
【００１７】
なお、位置合わせ部材１０に設けた接触部材の具体的な実施例を図６、図７に基づいて詳細に説明する。
先ず図６に示す実施例について説明すると、ケース蓋体４の位置合わせ部材に相当する突部１９を被覆するように接触部材２０を設け、これに対応するように設けられた固定側ケース本体３の位置合わせ部材に相当する凹部２１を覆うように、接触部材２２を設けた実施例である。
【００１８】
また、図７で示す実施例について説明すると、この例では、ケース蓋体４の位置合わせ部材に相当する突部１９の先端部に接触部材２３を設けたもので、これに対応する固定側ケース本体３の位置合わせ部材に相当する凹部２１の底部に接触部材２３を設けた実施例である。
【００１９】
なお、ケース蓋体４の位置合わせ部材１０に相当する突部１９や固定側ケース本体３の位置合わせ部材１０に相当する凹部２１の形状及び接触部材２０、２２、２３の位置及び形状は種々設計変更することが可能である。
また、位置合わせ部材１０に換え、固定側ケース本体３と、ケース蓋体４に接触部材２３を別に設けることも可能である。
【実施例３】
【００２０】
図３は、本発明に係る第三実施例を示すもので、ヒンジ部９を介し、固定側ケース本体３と開閉側ケース蓋体４に開閉分割できる表裏開閉自在にしたセットケース５の固定側ケース本体３に遊技球補給装置１の電磁ソレノイド６を設け、開閉側ケース蓋体４にその他の可動片等を設け、打球操作に基づいて動作される電磁ソレノイド動作形態の球送り機構である遊技球補給装置１の電磁ソレノイド６への通電は、配線回路ループが固定側ケース本体３より発射制御部材の駆動部に接続され、開閉側ケース蓋体４には配線回路ループがなくケースを閉じた時、電磁的回路結合により球送り動作が可能となるようにしたものである。
【００２１】
以上説明をした実施例では、遊技球補給装置を配設したセットケースが別体になったものを説明したが、セットケースの固定側ケース本体を遊技球補給装置等の取付ベースと一体化したもの等が可能である。また、セットケースの形状、及び開閉、分割方向は、左右、上下等これに限定されるものではない。また、発射ソレノイドは、本実施例ではロータリーソレノイドで表現してあるが、これに限定されるものではない。
【００２２】
次に、より確実に回路の遮断、接続を行えるようにする実施例として、セットケース５のヒンジ部４を介して固定側ケース本体３と開閉側ケース蓋体４に開閉分割できる表裏開閉自在にしたセットケース５の固定側ケース本体３と開閉側ケース蓋体４の開閉部にセンサ部材を設け、開閉側ケース蓋体４の開閉状態を検知し、開いているときは電磁ソレノイド６への通電を遮断し、遊技球の補給を停止させることを可能とした開閉部に設けたセンサ部材からの検知信号を遊技球発射制御部材に取り込み、遊技球補給の動作を含め、遊技球発射動作を停止させる方法や、センサ部材であるスイッチが電磁ソレノイド６への信号回路を直接遮断、接続を行う方法もあるが、形式にこだわるものではない。
【００２３】
また、セットケース５にヒンジ部４が無いものの場合は、以下のように形成することで同様な作用、効果を奏する。
それは、発射槌により遊技球を印打発射する遊技機において、表裏分割自在にしたセットケースの一方であるケース蓋体に電磁ソレノイド、可動片等からなる打球操作に基づいて動作される電磁ソレノイド動作形態の球送り機構である遊技球補給装置を設け、前記電磁ソレノイドの通電は、配線回路のループ完成がなされるように、ケース本体、ケース蓋体の適宜部位に接触部材を設けて、電磁ソレノイドへの回路が遮断、接続を可能に形成することにより奏するものである。
【産業上の利用可能性】
【００２４】
本発明の遊技球補給装置は、各種方式のパチンコ機に利用することができるものである。
【図面の簡単な説明】
【００２５】
【図１】本発明の第一実施例に係る遊技球補給装置の一部を分解して示す平面図である。
【図２】本発明の第二実施例に係る遊技球補給装置の一部を分解して示す平面図である。
【図３】本発明の第三実施例に係る遊技球補給装置の一部を分解して示す平面図である。
【図４】本発明に係る遊技球補給装置におけるヒンジ部分の一実施例を拡大して示す説明図である。
【図５】本発明に係る遊技球補給装置におけるヒンジ部分の他の実施例を拡大して示す説明図である。
【図６】本発明に係る遊技球補給装置における位置合わせ部材の一実施例を拡大して示す説明図である。
【図７】本発明に係る遊技球補給装置における位置合わせ部材の他の実施例を拡大して示す説明図である。
【符号の説明】
【００２６】
１・・・・遊技球補給装置                ２・・・・打球発射装置
３・・・・ケース本体                    ４・・・・ケース蓋体
５・・・・セットケース                  ６・・・・電磁ソレノイド
７・・・・球送り体                      ８・・・・発射レール
９・・・・ヒンジ部                    １０・・・・位置合わせ部材
１１・・・・ボス部材                    １２・・・・接触部材
１３・・・・リング部材                  １４・・・・接触部材
１５・・・・ボス部材                    １６・・・・接触部材
１７・・・・リング部材                  １８・・・・接触部材
１９・・・・突部                        ２０・・・・接触部材
２１・・・・凹部                        ２２・・・・接触部材
２３・・・・接触部材
【図１】
2007117445.tif 000003
【図２】
2007117445.tif 000004
【図３】
2007117445.tif 000005
【図４】
2007117445.tif 000006
【図５】
2007117445.tif 000007
【図６】
2007117445.tif 000008
【図７】
2007117445.tif 000009